(57)【要約】【目的】室内空間の空気へのマイナスイオンの添加する機能を、室内空間の換気の機能と併用した室内環境浄化システムを提供しようとするものである。【構成】室内空間の空気を室外に強制排出する排気装置と、該排気装置による前記室内空間の空気の排出により、外気を前記室内空間へ流入させる通路である通気孔とを備えるとともに、該通気孔内に、マイナスイオンを発生する物質を備える。【選択図】    図３
2005009736.tif 000002
【特許請求の範囲】
【請求項１】
室内空間の空気を室外に強制排出する排気装置と、該排気装置による前記室内空間の空気の排出により、外気を前記室内空間へ流入させる通路である通気孔とを備えるとともに、
該通気孔内に、マイナスイオンを発生する物質を備えてなり、該通気孔を通して前記室内空間に流入する外気に、マイナスイオンを添加してなることを特徴とする室内環境浄化システム。
【請求項２】
前記通気孔に、該通気孔へ流入する外気を遮断又は外気量を調節する開閉扉を設けてなる請求項１記載の室内環境浄化システム。
【請求項３】
マイナスイオンを発生する前記物質として、少なくとも天然放射性稀土鉱石を含むセラミックを高温燒結させて形成したセラミックボールを用いてなる請求項１又は２記載の室内環境浄化システム。
【発明の詳細な説明】
【０００１】
【発明の属する技術分野】
この発明は、室内環境浄化システムに関するものである。
【０００２】
【従来の技術】
最近、住環境におけるマイナスイオンの効用が注目を集めており、ドライヤー等、各種の家庭用電気製品にマイナスイオンを発生させる機能を備えたものが販売され、使用されている。空気中に存在するマイナスイオンは、人間の精神を安定させ、呼吸器の機能を高める等の効果を有するといわれており、健康増進に役立つものとされている。マイナスイオンは、空気中の水滴が分裂する際に、この水滴がプラスに帯電し、その周りの空気がマイナスに帯電するレナード効果により発生することが知られているが、最近では、これ以外に、人工的に発生させるさまざまな方法が知られている。
【０００３】
このようなマイナスイオンの効用を、日常的に利用するためには、このマイナスイオンを、生活の拠点である住宅やマンションの室内空間に常時供給することが好ましいと考えられる。そこで、この対策の一環としては、住宅やマンションの室内に備えられる空気調和機として、マイナスイオンを発生する機能を付加した、特許文献１や特許文献２に記載されているような空気調和機が提供されている。
【０００４】
ところで、最近、特にマンション等の室内空間の気密性が向上した結果、冷暖房等の効率的な運用には資するものの、新鮮な空気の供給等の健康上の観点からは問題であり、また、最近、建物の室内に使用されている建材等から発生する化学物質によるシックハウス症候群が問題視されている。そのため、これらの問題に対して、室内空間の換気の重要性が叫ばれており、２００３年７月に施行される改正建築基準法では、毎時０．５〜０．７回程度、全室の空気を外気と入れ替えることが、新たに建築される建物に対して義務付けられている。
【０００５】
【特許文献１】
特開２００３−１３９３４０号公報
【特許文献２】
特開２００３−１３９３４１号公報
【０００６】
【発明が解決しようとする課題】
そうすると、室内空間の空気へのマイナスイオンの添加する機能を、換気の機能と併用する方法があれば、非常に合理的である。しかし、上述した特許文献１や特許文献２に記載されているようなマイナスイオンを発生する機能を付加した空気調和機による方法は、室内空間の換気とは別に行なわれる方法であり、室内空間の空気へのマイナスイオンの添加する機能を、室内空間の換気の機能と併用する方法は存在していない模様である。
そこで、この発明はこのような現状を打開するためになされたものであって、室内空間の空気へマイナスイオンを添加する機能を、室内空間の換気の機能と併用した室内環境浄化システムを提供しようとするものである。
【０００７】
【課題を解決するための手段】
本発明は、換気により室内空間に取込まれる外気に対して、その室内空間への取り込みの際に、マイナスイオンを添加しようとするものである。
【０００８】
具体的には、本発明の室内環境浄化システムは、室内空間の空気を室外に強制排出する排気装置と、該排気装置による前記室内空間の空気の排出により、外気を前記室内空間へ流入させる通路である通気孔とを備えるとともに、該通気孔内に、マイナスイオンを発生する物質を備えてなり、該通気孔を通して前記室内空間に流入する外気に、マイナスイオンを添加してなることを特徴としている。
【０００９】
上記の室内環境浄化システムにおいて、前記通気孔に、該通気孔へ流入する外気を遮断又は外気量を調節する開閉扉を設けるようにしてもよい。
【００１０】
また、マイナスイオンを発生する前記物質として、少なくとも天然放射性稀土鉱石を含むセラミックを高温燒結させて形成したセラミックボールを用いるのが推奨される。
【００１１】
【発明の実施の形態】
次に、本発明の実施例につき、図面に基づき詳しく説明する。図１は、本実施例の室内環境浄化システムを設置したマンションの一室の平面図であり、図２は、図１のＡＢ断面図である。このマンションの一室はリビングダイニングキッチン（ＬＤＫ）であり、天井の高さは床から約２．４ｍ、その広さは、約２２ｍ２である。このＬＤＫには、換気扇２及び通気孔３が備えられている。換気扇２は、このＬＤＫに備えられた調理コンロ９の上方の天井部分に設けられており、このＬＤＫの室内空間１の空気を、このマンションの外部に換気扇用通気孔８を介して排出するものであり、その送風量は約５ｍ３／分である。また、通気孔３は、換気扇２が行なう室内空間１の空気の排出により、外気を前記室内空間１へ流入させる通路である。即ち、換気扇２により室内空間１の空気が外部に排出され、新たに、外気が通気孔３を介して室内空間１へ導入される。尚、図１、図２中、４は壁、５は窓、６はドア、７は柱、１０はシンク、１１は天井、１２は床、そして、１３は換気扇用通気孔カバーである。
【００１２】
図３は、通気孔３の拡大垂直断面図である。この通気孔３は、壁４を貫通して設けられており、壁４は、内側を内壁４ｂが、外側を外壁４ａが覆っている。通気孔３の入り口である外壁側には通気孔室外カバー３ａが設けられ、出口である内壁側には、通気孔室内カバー３ｂが設けられており、通気孔室外カバー３ａと通気孔室内カバー３ｂの間に通気孔内部空間３ｃが形成されている。通気孔室外カバー３ａには、外気を通気孔内部空間３ｃへ導入するための通気孔室外カバー穴３ａａが設けられており、通気孔室内カバー３ｂにも、通気孔内部空間３ｃへ導入された外気を室内空間１へ流通させるための通気孔室内カバー穴３ｂａが設けられている。通気孔内部空間３ｃは、直径が約１５０ｍｍの円筒形であり、その長さは、壁４の厚さと同じで、壁４の厚さは、外壁４ａと内壁４ｂとを合せて約２５０ｍｍである。尚、図中、２３は、外気の流れる方向を示している。
【００１３】
通気孔内部空間３ｃには、マイナスイオンを発生させるためのセラミックボール２１を、本実施例では、メッシュ状のステンレス製の筒２２に収納して配置している。しかし、セラミックボール２１の収納容器としてはこれには限られず、通気孔内部空間３ｃへ導入される外気がセラミックボール２１に触れる構造の容器であればどのようなものでもよく、例えば、他の金属製のメッシュ状の筒等や、樹脂製でメッシュ状のネット、或いは、不織布製のネット等を用いるようにしてもよい。また、セラミックボール２１を収納容器に収容せず、直接、通気孔内部空間３ｃ内に収納するようにすることもできる。本実施例で使用するセラミックボール２１は、少なくとも天然放射性稀土鉱石を含むセラミックを高温燒結させてボール状に形成したセラミックボールであり、天然放射性稀土鉱石から放射される微量の放射線が、空気中の水分と反応して、マイナスイオンを発生するものである。このセラミックボール２１としては、例えば、美濃顔料化学株式会社製の「ＩＯＭＩＸ−ＢＬ」等を用いることができる。この「ＩＯＭＩＸ−ＢＬ」は、天然放射性稀土鉱石及び常温遠赤外線放射鉱石を混合して、高温燒結させて直径約７ｍｍのボール状に形成したものである。
【００１４】
上記の本実施例の室内環境浄化システムによるマイナスイオン発生の効果を調べるため、上記のマンションの一室のＬＤＫにおいて、通気孔内部空間３ｃへのセラミックボール２１の配置の有無による、室内空間１におけるマイナスイオンの量を測定した。測定位置は、図１のマンションの一室の平面図におけるＰの場所である。また、セラミックボール２１としては、美濃顔料化学株式会社製の「ＩＯＭＩＸ−ＢＬ」を５００ｇ用いた。尚、マイナスイオンの測定に際しては、換気扇２を動作させるとともに、窓５及びドア６は全て閉じた状態で、３分間測定を行なった。この測定に用いた測定器は、アンデス電気（株）製の空気イオンカウンターＩＴＣ−２０１Ａである。図４は、通気孔内部空間３ｃへセラミックボール２１を配置しない場合、また、図５は、通気孔内部空間３ｃへセラミックボール２１を配置した場合の測定結果を表したグラフであり、各グラフの下に記載されている表は、上記の測定において、測定器自身の有する機能により、測定値から演算された最大値、最小値、及び、平均値で、単位は（×１０００個／ｃｃ）である。即ち、これらの値は、室内空間１の空気１ｃｃに含まれるマイナスイオンの個数を示している。
【００１５】
図４の表の平均値によれば、通気孔内部空間３ｃへセラミックボール２１を配置しない場合の、測定時間３分間におけるマイナスイオンの平均個数は２９０個であるのに対して、図５の表の平均値によれば、通気孔内部空間３ｃへセラミックボール２１を配置した場合の、測定時間３分間におけるマイナスイオンの平均個数は７６０個である。これらのデータ及び、図４のグラフと図５のグラフとの比較から、通気孔内部空間３ｃへセラミックボール２１を配置することにより、室内空間１におけるマイナスイオンの量が増加することがわかる。
【００１６】
図６（ａ）及び（ｂ）は、通気孔室内カバー３ｂの他の例の断面図を示したものであり、固定部３１と可動部３２とで構成されている。図６（ａ）は可動部３２が閉じている状態を、図６（ｂ）は可動部３２が開いている状態を示している。可動部３２は左へ移動させることによって、開状態となり、このときは、図６（ｂ）の矢印３３で示すような経路で、通気孔内部空間３ｃへ導入された外気が、室内空間１へ導入される。この可動部３２を左へ移動させる距離を可変することにより、外気の導入量を可変することができる。
【００１７】
上記の本実施例では、マイナスイオンを発生するセラミックボールを、通気孔３の通気孔内部空間３ｃに収納することにより、室内空間１へ導入する外気にマイナスイオンを添加しているが、これに加えて、消臭材を塗布したフイルターを通気孔内部空間３ｃに備えることにより、導入する外気に含まれる悪臭等の臭いを消臭するようにすることもできる。
【００１８】
【発明の効果】
上述の通り、本発明によれば、室内空間の空気を室外に強制排出する排気装置と、該排気装置による前記室内空間の空気の排出により、外気を前記室内空間へ流入させる通路である通気孔とを備えるとともに、該通気孔内に、マイナスイオンを発生する物質を備えてなり、該通気孔を通して前記室内空間に流入する外気に、マイナスイオンを添加するので、室内空間の空気へのマイナスイオンの添加する機能を、室内空間の換気の機能と併用した室内環境浄化システムを提供することができる。
【図面の簡単な説明】
【図１】本実施例の室内環境浄化システムを設置したマンションの一室の平面図である。
【図２】図１のＡＢ断面図である。
【図３】本実施例の室内環境浄化システムにおける通気孔の拡大垂直断面図である。
【図４】本実施例の室内環境浄化システムを用いない場合のマイナスイオンの量の測定結果を表したグラフである。
【図５】本実施例の室内環境浄化システムを用いた場合のマイナスイオンの量の測定結果を表したグラフである。
【図６】本実施例の室内環境浄化システムの通気孔に用いられる通気孔室内カバーの他の例の断面図である。
【符号の説明】
１    室内空間                            ２    換気扇（排気装置）
３    通気孔                                ３ａ    通気孔室外カバー
３ａａ    通気孔室外カバー穴
３ｂ    通気孔室内カバー
３ｂａ    通気孔室内カバー穴
３ｃ    通気孔内部空間            ４    壁
４ａ    外壁                                ４ｂ    内壁
５    窓                                        ６    ドア
７    柱                                        ８    換気扇用通気孔
９    調理コンロ                        １０    シンク
１１    天井                                １２    床
１３    換気扇用通気孔カバー
２１    セラミックボール
２２    メッシュ状ステンレス製筒
２３    外気の流れ                    ３１    固定部
３２    可動部
３３    外気導入経路を示す矢印
【図１】
2005009736.tif 000003
【図２】
2005009736.tif 000004
【図３】
2005009736.tif 000005
【図４】
2005009736.tif 000006
【図５】
2005009736.tif 000007
【図６】
2005009736.tif 000008